(57)【要約】    【課題】  低コストで、質量が小さく、フロントパネルに外力が印加されても表示パネルの破損を防止できる表示装置、特にプラズマ表示装置を提供する。    【解決手段】  プラズマ表示装置において、枠状のフロントパネル５及びバックカバー９を設けて外装筐体とし、その内部にＰＤＰ１を設ける。ＰＤＰ１の背面側にモジュールプレート３及び放熱板８を設け、ＰＤＰ１に対して固定する。放熱板８の形状は、１枚の板が直角に２回折り曲げられたコ字形状とし、部分８ａをＰＤＰ１に対して固定し、部分８ｃをフロントパネル５の背面に当接させる。そして、ＰＤＰ１の前面基板に貼付された機能フィルム２とフロントパネル５との間に隙間６を設ける。【選択図】  図１
2005345855.tif 000002
【特許請求の範囲】
【請求項１】
表示パネルと、この表示パネルにおける表示領域以外の領域の少なくとも一部を覆うフロントパネルと、前記表示パネルに接続されて前記表示パネルを駆動する駆動部と、を有し、前記駆動部が、前記表示パネルに対して固定されると共に、前記駆動部を構成する構成部材のうち少なくとも１つの構成部材が前記フロントパネルに当接していることを特徴とする表示装置。
【請求項２】
前記表示パネルが前記フロントパネルから離隔した位置に保持されていることを特徴とする請求項１に記載の表示装置。
【請求項３】
表示パネルと、この表示パネルの前面における周辺領域を覆うと共に表示領域を露出させるフロントパネルと、前記表示パネルに接続されて前記表示パネルを駆動する駆動部と、を有し、前記駆動部が、前記表示パネルに対して固定されると共に、前記駆動部を構成する構成部材のうち少なくとも１つの構成部材が前記フロントパネルに当接していることを特徴とする表示装置。
【請求項４】
前記駆動部が、前記表示パネルを駆動する駆動回路装置と、この駆動回路装置から発生した熱を放熱する放熱板と、を有し、この放熱板が前記表示パネルに対して固定されると共に前記フロントパネルの背面に当接していることを特徴とする請求項１乃至３のいずれか１項に記載の表示装置。
【請求項５】
前記放熱板が、前記表示パネルの後方に配置され前記表示パネルに対して固定された第１部分と、この第１部分の端部から前記表示パネルの側方を通過して前方に延び前記フロントパネルに当接する第２部分と、を有することを特徴とする請求項４に記載の表示装置。
【請求項６】
前記フロントパネルが後方に向かって立設したリブを有し、このリブが前記放熱板に当接していることを特徴とする請求項４に記載の表示装置。
【請求項７】
前記駆動部が、前記表示パネルを駆動する駆動回路装置と、この駆動回路装置を支持するモジュールプレートと、を有し、このモジュールプレートが前記表示パネルに対して固定されると共に前記フロントパネルの背面に当接していることを特徴とする請求項１乃至３のいずれか１項に記載の表示装置。
【請求項８】
前記モジュールプレートが、前記表示パネルの後方に配置され前記表示パネルに対して固定されると共に前記駆動回路装置を支持する本体部と、この本体部の端部から前記表示パネルの側方を通過して前方に延び前記フロントパネルに当接する延出部と、を有することを特徴とする請求項７に記載の表示装置。
【請求項９】
前記駆動部が前記駆動回路装置を前記表示パネルに接続するフレキシブルケーブルを有し、前記モジュールプレートの延出部が相互に平行に配置された複数の歯部を備えた櫛状形状となっており、前記フレキシブルケーブルが前記延出部の歯部間を挿通していることを特徴とする請求項８に記載の表示装置。
【請求項１０】
前記フロントパネルが後方に向かって立設したリブを有し、このリブが前記モジュールプレートに当接していることを特徴とする請求項７に記載の表示装置。
【請求項１１】
前記駆動部が、前記表示パネルを駆動する駆動回路装置と、前記表示パネルに対して固定されると共にこの駆動回路装置を支持するモジュールプレートと、このモジュールプレートに連結されると共に前記フロントパネルの背面に当接した補強部材と、を有することを特徴とする請求項１乃至３のいずれか１項に記載の表示装置。
【請求項１２】
前記表示パネルが、この表示パネルの前面基板に貼付され前記表示パネルから放射される電磁波を遮蔽するフィルムを有することを特徴とする請求項１乃至１１のいずれか１項に記載の表示装置。
【請求項１３】
前記フィルムを前記駆動部に電気的に接続する接続部材を有することを特徴とする請求項１２に記載の表示装置。
【請求項１４】
前記接続部材が導電性及び弾性を備えたガスケットであることを特徴とする請求項１３に記載の表示装置。
【請求項１５】
前記表示パネルがプラズマディスプレイパネルであることを特徴とする請求項１乃至１４のいずれか１項に記載の表示装置。
【請求項１６】
プラズマディスプレイパネルと、このプラズマディスプレイパネルの前面における周辺領域を覆うと共に表示領域を露出させるフロントパネルと、前記プラズマディスプレイパネルを駆動する駆動回路装置と、前記プラズマディスプレイパネルに対して固定されると共に前記フロントパネルの背面に当接し前記駆動回路装置から発生した熱を放熱する放熱板と、を有することを特徴とするプラズマ表示装置。
【請求項１７】
前記プラズマディスプレイパネルの前面基板にこのプラズマディスプレイパネルから放射される電磁波を遮蔽するフィルムが貼付されており、このフィルムを前記放熱板に接続する導電部材を有することを特徴とする請求項１６に記載のプラズマ表示装置。
【請求項１８】
プラズマディスプレイパネルと、このプラズマディスプレイパネルの前面における周辺領域を覆うと共に表示領域を露出させるフロントパネルと、前記プラズマディスプレイパネルを駆動する駆動回路装置と、前記プラズマディスプレイパネルに対して固定されると共に前記フロントパネルの背面に当接し前記駆動回路装置を支持するモジュールプレートと、を有することを特徴とするプラズマ表示装置。
【請求項１９】
前記プラズマディスプレイパネルの前面基板にこのプラズマディスプレイパネルから放射される電磁波を遮蔽するフィルムが貼付されており、このフィルムを前記モジュールプレートに接続する導電部材を有することを特徴とする請求項１８に記載のプラズマ表示装置。
【請求項２０】
プラズマディスプレイパネルと、このプラズマディスプレイパネルの前面における周辺領域を覆うと共に表示領域を露出させるフロントパネルと、前記プラズマディスプレイパネルを駆動する駆動回路装置と、前記プラズマディスプレイパネルに対して固定され前記駆動回路装置を支持するモジュールプレートと、前記プラズマディスプレイパネルに対して固定されると共に前記フロントパネルの背面に当接し前記駆動回路装置から発生した熱を放熱する放熱板と、を有し、前記モジュールプレートの端部は前記放熱板における前記フロントパネルに当接した部分に当接していることを特徴とするプラズマ表示装置。
【請求項２１】
前記プラズマディスプレイパネルの前面基板にこのプラズマディスプレイパネルから放射される電磁波を遮蔽するフィルムが貼付されており、このフィルムを前記モジュールプレート及び前記放熱板のうち少なくとも一方に接続する導電部材を有することを特徴とする請求項２０に記載のプラズマ表示装置。
【請求項２２】
プラズマディスプレイパネルと、このプラズマディスプレイパネルの前面における周辺領域を覆うと共に表示領域を露出させるフロントパネルと、前記プラズマディスプレイパネルに対して固定されると共に前記フロントパネルの背面に当接する補強部材と、を有することを特徴とするプラズマ表示装置。
【請求項２３】
プラズマディスプレイパネルと、このプラズマディスプレイパネルの前面における周辺領域を覆うと共に表示領域を露出させるフロントパネルと、前記プラズマディスプレイパネルを駆動する駆動回路装置と、前記プラズマディスプレイパネルに対して固定され前記駆動回路装置から発生した熱を放熱する放熱板と、を有し、前記フロントパネルには後方に向かって立設したリブが形成されており、このリブの先端が前記放熱板に当接していることを特徴とするプラズマ表示装置。
【発明の詳細な説明】
【技術分野】
【０００１】
本発明は、外力による表示パネルの破損の防止を図った表示装置、特にプラズマ表示装置に関する。
【背景技術】
【０００２】
従来より、薄型の表示装置として、プラズマ表示装置が開発されている。プラズマ表示装置は、表示パネルとしてプラズマディスプレイパネル（Plasma Display Panel：以下、ＰＤＰという）を備えた表示装置である。ＰＤＰは、２枚のガラス基板を相互に平行に配置し、両基板間に放電ガスを封入することにより形成されている。ＰＤＰは、その動作に伴って電磁波の不要輻射を多量に生じる。そこで、ＰＤＰの前方、即ち視聴者側には、強化ガラスからなる前面フィルタが設けられており、この前面フィルタにより、不要輻射を遮断している。
【０００３】
しかし、近時、プラズマ表示装置のコストダウン及び軽量化を図るために、強化ガラス製の前面フィルタを省略したプラズマ表示装置が開発されている（例えば、特許文献１（特開２００１−３４３８９８号公報）参照。）。図９は、この従来のプラズマ表示装置の構成を示す断面図である。図９に示すように、この従来のプラズマ表示装置においては、枠状のフロントパネル５が設けられている。フロントパネル５は、一般に、形状の自由度を確保し、コストを抑え、質量を小さくすることができるという理由から、樹脂により形成されている。また、フロントパネル５には、スペーサ１３を介して、バックカバー９がボルト１４により連結されている。
【０００４】
そして、フロントパネル５及びバックカバー９からなる外装筐体の内部に、ＰＤＰ１が設けられている。ＰＤＰ１においては、２枚の非強化ガラス基板が平行に配置され、両基板間に放電ガスが封入されている。また、ＰＤＰ１の前面には、不要輻射を遮蔽する透明な機能フィルム２が直接貼付されている。そして、ＰＤＰ１の前面、即ち、機能フィルム２が貼付されている面における周辺領域はフロントパネル５により覆われており、周辺領域を除く表示領域はフロントパネル５の開口部内に位置している。これにより、視聴者が、フロントパネル５の開口部を介してＰＤＰ１を視認できるようになっている。なお、このプラズマ表示装置においては、強化ガラスからなる前面フィルタは設けられておらず、フロントパネル５の開口部側の端縁は、ＰＤＰ１の機能フィルム２に接している。
【０００５】
ＰＤＰ１の背面側にはモジュールプレート３が配置されており、ＰＤＰ１に固定されている。また、モジュールプレート３にはＰＤＰ駆動基板７が固定されている。更に、ＰＤＰ駆動基板７はフレキシブルケーブル４によりＰＤＰ１の背面基板上に形成された端子（図示せず）に接続されている。更に、モジュールプレート３には放熱板８が固定されている。一方、機能フィルム２の周辺部、即ち、フロントパネル５の後方に配置され外部筐体内に隠されている部分とバックカバー９との間には、フィルムアース金具１１が接続されており、機能フィルム２のアースをとっている。
【０００６】
この従来のプラズマ表示装置においては、機能フィルム２をＰＤＰ１の前面に直接貼付することにより、強化ガラスからなる前面フィルタを設けなくてもＰＤＰ１から放射される不要輻射を遮蔽することができ、プラズマ表示装置の低コスト化及び軽量化を図ることができる。
【０００７】
【特許文献１】特開２００１−３４３８９８号公報
【発明の開示】
【発明が解決しようとする課題】
【０００８】
しかしながら、上述の従来の技術には、以下に示すような問題点がある。図９に示す従来のプラズマ表示装置においては、フロントパネル５を支える構造部材がないため、プラズマ表示装置の前方より、フロントパネル５に衝撃等の外力が加わると、樹脂製のフロントパネル５が撓み、ＰＤＰ１を押し込んでしまう。そうすると、このプラズマ表示装置には強化ガラス製の前面フィルタが設けられておらず、また、機能フィルム２には外力に抗する能力はほとんどないため、非強化ガラスからなるＰＤＰ１が変形して破損してしまう虞がある。
【０００９】
また、この問題点はプラズマ表示装置に限らず、表示パネルとフロントパネルを備えた表示装置には一般的に存在する。即ち、低コスト化及び軽量化を図るために強化ガラス製の前面フィルタを省略すると、フロントパネルに外力が印加されたときにフロントパネルが変形し、表示パネルを破壊してしまうことがある。
【００１０】
本発明はかかる問題点に鑑みてなされたものであって、低コストで、質量が小さく、フロントパネルに外力が印加されても表示パネルの破損を防止できる表示装置、特にプラズマ表示装置を提供することを目的とする。
【課題を解決するための手段】
【００１１】
本発明に係る表示装置は、表示パネルと、この表示パネルにおける表示領域以外の領域の少なくとも一部を覆うフロントパネルと、前記表示パネルに接続されて前記表示パネルを駆動する駆動部と、を有し、前記駆動部が、前記表示パネルに対して固定されると共に、前記駆動部を構成する構成部材のうち少なくとも１つの構成部材が前記フロントパネルに当接していることを特徴とする。
【００１２】
本発明においては、駆動部が表示パネルに対して固定されると共にフロントパネルに当接しているため、フロントパネルに外力が印加されても駆動部が支えとなり、フロントパネルが変形することを抑制できる。また、より強い外力が印加されてフロントパネルが変形しても、この変形に伴って駆動部及び表示パネルが全体的に後方へ撓むため、表示パネルが破損することを防止できる。これにより、強化ガラス等で形成された前面フィルタを省略して表示装置の低コスト化及び軽量化を図っても、表示パネルの破損を防止することができる。
【００１３】
本発明に係る他の表示装置は、表示パネルと、この表示パネルの前面における周辺領域を覆うと共に表示領域を露出させるフロントパネルと、前記表示パネルに接続されて前記表示パネルを駆動する駆動部と、を有し、前記駆動部が、前記表示パネルに対して固定されると共に、前記駆動部を構成する構成部材のうち少なくとも１つの構成部材が前記フロントパネルに当接していることを特徴とする。
【００１４】
本発明においては、駆動部が表示パネルに対して固定されると共にフロントパネルの背面に当接しているため、フロントパネルに外力が印加されても駆動部が支えとなり、フロントパネルが変形することを抑制できる。また、より強い外力が印加されてフロントパネルが後方に向かって変形しても、この変形に伴って駆動部が後方に撓み、この撓みに伴って表示パネルが後方に撓んで移動するため、フロントパネルが表示パネルに印加する力を緩和又は解消することができ、フロントパネルが表示パネルを押し込むことによる表示パネルの破損を防止できる。これにより、強化ガラス等で形成された前面フィルタを省略して表示装置の低コスト化及び軽量化を図っても、表示パネルの破損を防止することができる。
【００１５】
また、前記駆動部が、前記表示パネルを駆動する駆動回路装置と、この駆動回路装置から発生した熱を放熱する放熱板と、を有し、この放熱板が前記表示パネルに対して固定されると共に前記フロントパネルの背面に当接していてもよい。この場合、前記放熱板が、前記表示パネルの後方に配置され前記表示パネルに対して固定された第１部分と、この第１部分の端部から前記表示パネルの側方を通過して前方に延び前記フロントパネルに当接する第２部分と、を有していてもよく、又は、前記フロントパネルが後方に向かって立設したリブを有し、このリブが前記放熱板に当接していてもよい。これにより、放熱板を利用して、フロントパネルを支えることによりフロントパネルの変形を抑制すると共に、より大きな外力が印加されてフロントパネルが変形した場合にこの外力に応じて表示パネルを後方に撓ませることができるため、新たな部品を設ける必要がなく、コストの上昇を抑えることができる。
【００１６】
又は、前記駆動部が、前記表示パネルを駆動する駆動回路装置と、この駆動回路装置を支持するモジュールプレートと、を有し、このモジュールプレートが前記表示パネルに対して固定されると共に前記フロントパネルの背面に当接していてもよい。この場合、前記モジュールプレートが、前記表示パネルの後方に配置され前記表示パネルに対して固定されると共に前記駆動回路装置を支持する本体部と、この本体部の端部から前記表示パネルの側方を通過して前方に延び前記フロントパネルに当接する延出部と、を有していてもよく、又は、前記フロントパネルが後方に向かって立設したリブを有し、このリブが前記モジュールプレートに当接していてもよい。これにより、モジュールプレートを利用して、フロントパネルを支えることによりフロントパネルの変形を抑制すると共に、より大きな外力が印加されてフロントパネルが変形した場合にこの外力に応じて表示パネルを後方に撓ませることができるため、新たな部品を設ける必要がなく、コストの上昇を抑えることができる。
【００１７】
又は、前記駆動部が、前記表示パネルを駆動する駆動回路装置と、前記表示パネルに対して固定されると共にこの駆動回路装置を支持するモジュールプレートと、このモジュールプレートに連結されると共に前記フロントパネルの背面に当接した補強部材と、を有していてもよい。
【００１８】
更に、前記表示パネルが、この表示パネルの前面基板に貼付され前記表示パネルから放射される電磁波を遮蔽するフィルムを有していてもよく、このとき、前記フィルムを前記駆動部に電気的に接続する接続部材を有していてもよい。
【００１９】
更にまた、前記表示パネルがプラズマディスプレイパネルであってもよい。
【００２０】
本発明に係る第１のプラズマ表示装置は、プラズマディスプレイパネルと、このプラズマディスプレイパネルの前面における周辺領域を覆うと共に表示領域を露出させるフロントパネルと、前記プラズマディスプレイパネルを駆動する駆動回路装置と、前記プラズマディスプレイパネルに対して固定されると共に前記フロントパネルの背面に当接し前記駆動回路装置から発生した熱を放熱する放熱板と、を有することを特徴とする。
【００２１】
本発明に係る第２のプラズマ表示装置は、プラズマディスプレイパネルと、このプラズマディスプレイパネルの前面における周辺領域を覆うと共に表示領域を露出させるフロントパネルと、前記プラズマディスプレイパネルを駆動する駆動回路装置と、前記プラズマディスプレイパネルに対して固定されると共に前記フロントパネルの背面に当接し前記駆動回路装置を支持するモジュールプレートと、を有することを特徴とする。
【００２２】
本発明に係る第３のプラズマ表示装置は、プラズマディスプレイパネルと、このプラズマディスプレイパネルの前面における周辺領域を覆うと共に表示領域を露出させるフロントパネルと、前記プラズマディスプレイパネルを駆動する駆動回路装置と、前記プラズマディスプレイパネルに対して固定され前記駆動回路装置を支持するモジュールプレートと、前記プラズマディスプレイパネルに対して固定されると共に前記フロントパネルの背面に当接し前記駆動回路装置から発生した熱を放熱する放熱板と、を有し、前記モジュールプレートの端部は前記放熱板における前記フロントパネルに当接した部分に当接していることを特徴とする。
【００２３】
本発明に係る第４のプラズマ表示装置は、プラズマディスプレイパネルと、このプラズマディスプレイパネルの前面における周辺領域を覆うと共に表示領域を露出させるフロントパネルと、前記プラズマディスプレイパネルに対して固定されると共に前記フロントパネルの背面に当接する補強部材と、を有することを特徴とする。
【００２４】
本発明に係る第５のプラズマ表示装置は、プラズマディスプレイパネルと、このプラズマディスプレイパネルの前面における周辺領域を覆うと共に表示領域を露出させるフロントパネルと、前記プラズマディスプレイパネルを駆動する駆動回路装置と、前記プラズマディスプレイパネルに対して固定され前記駆動回路装置から発生した熱を放熱する放熱板と、を有し、前記フロントパネルには後方に向かって立設したリブが形成されており、このリブの先端が前記放熱板に当接していることを特徴とする。
【発明の効果】
【００２５】
本発明によれば、表示パネルを駆動する駆動部が、表示パネルに対して固定されると共にフロントパネルの背面に当接していることにより、フロントパネルに外力が印加されても駆動部が支えとなり、フロントパネルが変形することを抑制できる。また、より強い外力が印加されてフロントパネルが後方に向かって変形した場合においても、この変形に連動して駆動部及び表示パネルが全体的に後方に撓むため、フロントパネルが表示パネルを押し込む力を解消又は緩和でき、フロントパネルが表示パネルを強く押し込むことによる表示パネルの破損を防止できる。この結果、表示パネルの前方に強化ガラス等で形成された前面フィルタが設けられていないため低コストで質量が小さく、フロントパネルに外力が印加されても表示パネルの破損を防止できる表示装置を得ることができる。
【発明を実施するための最良の形態】
【００２６】
以下、本発明の実施形態について添付の図面を参照して具体的に説明する。先ず、本発明の第１の実施形態について説明する。図１は、本実施形態に係るプラズマ表示装置の構成を示す断面図である。図１に示すように、本実施形態に係るプラズマ表示装置においては、樹脂からなる枠状のフロントパネル５が設けられている。また、フロントパネル５にはスペーサ１３が連結されており、スペーサ１３にはバックカバー９がボルト１４により連結されている。即ち、スペーサ１３の形状は円筒形であり、その中心軸に沿ってネジ穴が形成されており、このネジ穴にボルト１４が螺合している。なお、スペーサ１３は、フロントパネル５の内側でフロントパネル５と一体成形されていてもよい。フロントパネル５及びバックカバー９により、プラズマ表示装置の外装筐体が形成されている。
【００２７】
そして、この外装筐体の内部に、ＰＤＰ１が設けられている。ＰＤＰ１の下方には、ＰＤＰ１を支持する支持台（図示せず）が設けられている。ＰＤＰ１においては、２枚の非強化ガラス基板が相互に平行に配置され、両基板間に放電ガスが封入されている。また、ＰＤＰ１には、ＰＤＰ１から放射される電磁波、即ち不要輻射を遮蔽する透明な機能フィルム２が設けられている。機能フィルム２は、ＰＤＰ１の前面基板に直接貼付されている。そして、ＰＤＰ１の前面、即ち、機能フィルム２が貼付されている面における周辺領域はフロントパネル５により覆われ、フロントパネル５により隠されている。また、ＰＤＰ１の前面における表示領域は、フロントパネル５の開口部内に位置しており、外部に対して露出している。これにより、視聴者が、フロントパネル５の開口部を介してＰＤＰ１の表示領域を視認できるようになっている。なお、本明細書においては、表示装置から見て視聴者に向かう方向を前方といい、その反対方向を後方といい、前方及び後方に直交する方向を総称して側方という。
【００２８】
また、フロントパネル５はＰＤＰ１の機能フィルム２に接しておらず、フロントパネル５の開口部側の端縁と機能フィルム２との間には、例えば、０．１乃至１．０ｍｍ程度の隙間６が設けられている。更に、ＰＤＰ１の背面側にはモジュールプレート３が配置されており、ＰＤＰ１の背面に連結され、ＰＤＰ１に対して固定されている。更にまた、モジュールプレート３にはＰＤＰ駆動基板７が固定されている。そして、ＰＤＰ駆動基板７とＰＤＰ１の背面基板との間には、フレキシブルケーブル４が接続されている。即ち、フレキシブルケーブル４の一端がＰＤＰ駆動基板７の端子（図示せず）に接続されており、フレキシブルケーブル４はこのＰＤＰ駆動基板７との接続部からモジュールプレート３及びＰＤＰ１の背面基板の側方を回り込むように引き回され、フレキシブルケーブル４の他端がＰＤＰ１の背面基板上に形成された端子（図示せず）に接続されている。フレキシブルケーブル４上には、ドライバＩＣ（Integrated Circuit：集積回路、図示せず）が形成されている。なお、ＰＤＰ駆動基板７及びドライバＩＣにより、ＰＤＰ１の駆動回路装置が構成されている。
【００２９】
また、モジュールプレート３には放熱板８が強固に固定されている。放熱板８は金属又は合金により形成されており、ドライバＩＣから発生する熱を大気中に逃がすものである。放熱板８の形状は、１枚の板が直角に２回折り曲げられたコ字形状となっている。即ち、放熱板８においては、部分８ａが設けられており、この部分８ａの端部に連結され、この部分８ａの表面に垂直な方向に延びる部分８ｂが設けられており、この部分８ｂにおける部分８ａが連結された端部の反対側の端部に連結され、部分８ｂの表面に垂直な方向に延び部分８ａに対向する位置に配置された部分８ｃが設けられている。そして、部分８ａはＰＤＰ駆動基板７の後方に、ＰＤＰ１に対して平行に設けられており、モジュールプレート３及びドライバＩＣに連結されている。これにより、部分８ａはＰＤＰ１に対して固定されている。また、部分８ｂは部分８ａから前方に延びるように配置されており、ＰＤＰ駆動基板７、モジュールプレート３及びＰＤＰ１の側方を回り込むようになっている。そして、部分８ｃは部分８ａに平行に配置されており、フロントパネル５の背面に当接している。これにより、モジュールプレート３及び放熱板８により、ＰＤＰ１に対して固定されると共にフロントパネル５の背面に当接し、ＰＤＰ１をフロントパネル５から隙間６を介して離隔した位置に保持する保持部品が構成されている。また、モジュールプレート３、ＰＤＰ駆動基板７、フレキシブルケーブル４、ドライバＩＣ、放熱板８により、ＰＤＰ１を駆動する駆動部が形成されている。
【００３０】
一方、機能フィルム２の周辺部、即ち、フロントパネル５の後方に配置され外部筐体内に隠されている部分とバックカバー９との間には、フィルムアース金具（図示せず）が接続されており、機能フィルム２のアースをとっている。
【００３１】
次に、上述の如く構成された本実施形態に係るプラズマ表示装置の動作について、図１を参照して説明する。プラズマ表示装置の梱包輸送時及び設置時等において、フロントパネル５に衝撃等の外力が加わった場合、フロントパネル５は受けた外力によって内側、即ち後方へ変形しようとする。しかし、フロントパネル５の内側面（背面）には放熱板８が当接しており、フロントパネル５に外力が加わった場合にフロントパネル５を支えるようになっているため、フロントパネル５は変形せずに、隙間６が保持され、ＰＤＰ１のガラス基板の破損を防止することができる。
【００３２】
また、万一、強い力が加わった場合、フロントパネル５が後方へ変形する。このとき、フロントパネル５には放熱板８が当接しており、放熱板８、モジュールプレート３及びＰＤＰ１は相互に連結されているため、フロントパネル５の変形により、放熱板８及びモジュールプレート３を含む駆動部並びにＰＤＰ１からなる構造体が全体的に後方に撓む。これにより、ＰＤＰ１が後方に移動するため、隙間６が保持され、フロントパネル５が機能フィルム２に接触してＰＤＰ１を押し込むことがない。また、仮に、フロントパネル５の変形により隙間６が消滅してフロントパネル５がＰＤＰ１に接触した場合でも、ＰＤＰ１が後方に移動しているため、フロントパネル５がＰＤＰ１を押し込む力を弱めることができる。つまり、従来のプラズマ表示装置においては、フロントパネルがＰＤＰに接している部分に力が集中するため、ＰＤＰが破損しやすいが、本実施形態においては、フロントパネル５に印加された外力が放熱板８及びモジュールプレート３の変形により弱められた上で、ＰＤＰ１全体に分散して印加されるため、ＰＤＰ１の一部分に力が集中することがなく、ＰＤＰ１が破損しにくい。これにより、万一、放熱板８により補強されたフロントパネル５が変形するような強い外力が印加された場合においても、ＰＤＰ１自体は損傷しないため、フロントパネル５等を交換することにより、比較的低コストでプラズマ表示装置を修理することができる。
【００３３】
本実施形態においては、ＰＤＰ１の前面基板に機能フィルム２が貼付されているため、ＰＤＰ１の動作に伴う不要輻射を遮蔽することができる。そして、強化ガラスにより形成された前面フィルタが設けられていないため、プラズマ表示装置の低コスト化及び軽量化を図ることができる。また、本実施形態においては、上述の構成により、フロントパネル５に衝撃等の外力が加わった場合においても、フロントパネル５からＰＤＰ１に直接力が加わることがなく、ＰＤＰ１の破損を防止することができる。そして、本実施形態においては、従来のプラズマ表示装置に対して、新規に部材を追加する必要がない。このため、実質的にコストを増大させることなく、上述のＰＤＰ１の破損を防止できるような構成を実現できる。
【００３４】
次に、本第１の実施形態の変形例について説明する。図２は本変形例に係るプラズマ表示装置を示す断面図である。図２に示すように、本変形例においては、機能フィルム２をＰＤＰ１の前面基板の端縁からはみ出すように延出させ、フレキシブルケーブル４におけるＰＤＰ１の背面基板に接続された部分に接触させている。そして、機能フィルム２における少なくともフレキシブルケーブル４に接触している部分において、フレキシブルケーブル４と接している面の反対側の表面に金属メッシュ又は金属箔が形成され、露出している。そして、機能フィルム２におけるフレキシブルケーブル４に接触している部分と放熱板８の部分８ｃとの間には、ガスケット１０が配置されている。ガスケット１０は例えば放熱板８の部分８ｃに貼付されている。ガスケット１０は導電性及び弾性を備えており、これにより、機能フィルム２及び放熱板８に密着し、機能フィルム２の金属メッシュ又は金属箔を放熱板８に電気的に接続している。そして、放熱板８はモジュールプレート３に接続されている。本変形例における上記以外の構成は、前述の第１の実施形態と同様である。
【００３５】
本変形例においては、機能フィルム２がガスケット１０及び放熱板８を介してモジュールプレート３に接続されていることにより、フィルムアース金具を設けることなく、機能フィルム２のアースを簡単にとることができ、ＰＤＰ１から放射される電磁波の不要輻射を低減させることができる。これにより、本変形例においては、フィルムアース金具が不要となるため、プラズマ表示装置のコストを低減することができる。本変形例における上記以外の動作及び効果は、前述の第１の実施形態と同様である。
【００３６】
次に、本発明の第２の実施形態について説明する。図３は本実施形態に係るプラズマ表示装置を示す断面図である。図３に示すように、本実施形態に係るプラズマ表示装置においては、モジュールプレート３の端部が屈曲して前方に延びており、フロントパネル５の背面（内側面）に当接している。即ち、モジュールプレート３においては、ＰＤＰ１と平行に配置された本体部３ａ、及び本体部３ａから前方に延出してフロントパネル５の背面に当接した延出部３ｂが設けられている。本体部３ａはＰＤＰ１の背面に連結され、ＰＤＰ１に対して固定されており、ＰＤＰ駆動基板７を固定して支持している。このモジュールプレート３における延出部３ｂは、フレキシブルケーブル４に干渉しないような形状、例えば、櫛状となっている。即ち、延出部３ｂは相互に平行に配置された複数の短冊状の歯部を備えており、この歯部間をフレキシブルケーブル４が挿通するようになっている。そして、放熱板８はフロントパネル５には当接しておらず、モジュールプレート３及びフレキシブルケーブル４上に搭載されたドライバＩＣ（図示せず）のみに連結されている。これにより、モジュールプレート３により、ＰＤＰ１に対して固定されると共にフロントパネル５の背面に当接し、ＰＤＰ１をフロントパネル５から隙間６を介して離隔した位置に保持する保持部品が構成されている。本実施形態における上記以外の構成は、前述の第１の実施形態と同様である。
【００３７】
次に、上述の如く構成された本実施形態の動作について説明する。本実施形態に係るプラズマ表示装置においては、モジュールプレート３の延出部３ｂがフロントパネル５の内面に当接しているため、フロントパネル５に衝撃等の外力が加わった場合に、モジュールプレート３がフロントパネル５の支えとなり、フロントパネル５の変形が抑制される。また、万一、強い外力が印加されてフロントパネル５が変形した場合においても、フロントパネル５が変形することによりモジュールプレート３及びＰＤＰ１が全体的に後方に撓むため、フロントパネル５とＰＤＰ１の機能フィルム２との間の隙間６は保持される。この結果、ＰＤＰ１に直接力が加わることがなく、ＰＤＰ１が破損することがない。また、フロントパネル５の変形により隙間６が消滅してフロントパネル５がＰＤＰ１に接触しても、ＰＤＰ１が後方に移動しているため、フロントパネル５がＰＤＰ１を押し込む力が弱まり、ＰＤＰ１の破損を防止できる。
【００３８】
本実施形態においては、ＰＤＰ１の前面基板に機能フィルム２が貼付されているため、ＰＤＰ１から放射される電磁波を遮蔽することができる。そして、強化ガラス製の前面フィルタを省略することにより、プラズマ表示装置のコストダウン及び軽量化を図ることができる。また、本実施形態においては、フロントパネル５に外力が加わった場合においても、ＰＤＰ１が破損することがない。そして、本実施形態においては、従来のプラズマ表示装置に対して、新規に部材を追加する必要がない。このため、実質的にコストを増大させることなく、上述の構成を実現できる。
【００３９】
次に、本第２の実施形態の変形例について説明する。図４は本変形例に係るプラズマ表示装置を示す断面図である。図４に示すように、本変形例においては、前述の第１の実施形態の変形例（図２参照）と同様に、機能フィルム２をＰＤＰ１の前面基板の端縁からはみ出すように延出させ、フレキシブルケーブル４におけるＰＤＰ１の背面基板に接続された部分に接触させている。また、機能フィルム２における少なくともフレキシブルケーブル４に接触している部分において、フレキシブルケーブル４と接している面の反対側の表面に金属メッシュ又は金属箔が形成されている。そして、モジュールプレート３の延出部３ｂにガスケット１０を貼付し、このガスケット１０を機能フィルム２の金属メッシュ又は金属箔に接触させている。ガスケット１０は導電性及び弾性を備えている。これにより、ガスケット１０は機能フィルム２及びモジュールプレート３に密着し、機能フィルム２をモジュールプレート３に接続している。本変形例における上記以外の構成は、前述の第２の実施形態と同様である。
【００４０】
本変形例においては、機能フィルム２がガスケット１０を介してモジュールプレート３に接続されていることにより、フィルムアース金具を設けることなく、機能フィルム２のアースをとることができる。これにより、フィルムアース金具が不要となるため、プラズマ表示装置のコストを低減することができる。本変形例における上記以外の動作及び効果は、前述の第２の実施形態と同様である。
【００４１】
次に、本発明の第３の実施形態について説明する。図５は本実施形態に係るプラズマ表示装置を示す断面図である。図５に示すように、本実施形態は、前述の第１の実施形態と第２の実施形態とを組み合わせた実施形態である。即ち、本実施形態に係るプラズマ表示装置においては、前述の第１の実施形態と同様に、放熱板８の形状がコ字形状となっており、部分８ｃがフロントパネル５の背面に当接している。また、前述の第２の実施形態と同様に、モジュールプレート３に前方に延びる延出部３ｂが設けられており、この延出部３ｂの先端は放熱板８の部分８ｃに突き当たっている。モジュールプレート３の延出部３ｂは、フレキシブルケーブル４に干渉しないような形状、例えば、櫛状となっている。本実施形態においては、モジュールプレート３及び放熱板８により、ＰＤＰ１に対して固定されると共にフロントパネル５の背面に当接し、ＰＤＰ１をフロントパネル５から隙間６を介して離隔した位置に保持する保持部品が構成されている。本実施形態における上記以外の構成は、前述の第１の実施形態と同様である。
【００４２】
次に、上述の如く構成された本実施形態の動作について説明する。本実施形態に係るプラズマ表示装置においては、放熱板８がフロントパネル５の内面に当接しており、更にモジュールプレート３が放熱板８に当接しているため、フロントパネル５に衝撃等の外力が加わった場合に、放熱板８及びモジュールプレート３がフロントパネル５を補強し、フロントパネル５の変形を抑制する。また、万一、強い外力が印加されてフロントパネル５が変形した場合においても、フロントパネル５が変形することにより、放熱板８、モジュールプレート３及びＰＤＰ１が後方へ撓み、これに伴ってＰＤＰ１が後方に移動するため、フロントパネル５と機能フィルム２との間の隙間６は保持される。また、フロントパネル５がＰＤＰ１に接触しても、フロントパネル５がＰＤＰ１を押し込む力が弱まるため、ＰＤＰ１の破損を防止できる。この結果、ＰＤＰ１に直接力が加わることがなく、ＰＤＰ１が破損することがない。本実施形態における上記以外の効果は、前述の第１及び第２の実施形態と同様である。
【００４３】
次に、本第３の実施形態の変形例について説明する。図６は本変形例に係るプラズマ表示装置を示す断面図である。図６に示すように、本変形例においては、前述の第１の実施形態の変形例（図２参照）と同様に、機能フィルム２をＰＤＰ１の前面基板の端縁から延出させ、フレキシブルケーブル４におけるＰＤＰ１の背面基板に接続された部分に接触させている。また、機能フィルム２における少なくともフレキシブルケーブル４に接触している部分において、フレキシブルケーブル４と接している面の反対側の表面に金属メッシュ又は金属箔が形成されている。そして、モジュールプレート３の延出部３ｂ又は放熱板８の部分８ｃにガスケット１０が貼付されており、機能フィルム２におけるフレキシブルケーブル４に接触している部分、モジュールプレート３の延出部３ｂ、及び放熱板８の部分８ｃに三方を囲まれた空間にガスケット１０が配置されている。ガスケット１０は機能フィルム２の金属メッシュ又は金属箔に接触している。これにより、ガスケット１０は機能フィルム２、モジュールプレート３及び放熱板８に密着し、機能フィルム２をモジュールプレート３に接続する。本変形例における上記以外の構成は、前述の第３の実施形態と同様である。
【００４４】
本変形例においては、機能フィルム２のアースを、ガスケット１０を介してモジュールプレート３に落とすことができる。これにより、フィルムアース金具が不要となるため、プラズマ表示装置のコストを低減することができる。本変形例における上記以外の動作及び効果は、前述の第３の実施形態と同様である。
【００４５】
次に、本発明の第４の実施形態について説明する。図７は本実施形態に係るプラズマ表示装置を示す断面図である。図７に示すように、本実施形態に係るプラズマ表示装置においては、補強金具１２が設けられている。補強金具１２は５つの部分１２ａ乃至１２ｅがこの順に連結されて形成されている。なお、補強金具１２は、夫々独立した板材からなる部分１２ａ乃至１２が相互に連結されて形成されていてもよく、１枚の板材が直角に４回屈曲されて形成されていてもよい。なお、補強金具１２を構成する材料及び寸法は特に限定されないが、補強金具１２にある程度の剛性を付与できるようなものとする必要がある。
【００４６】
補強金具１２の部分１２ａは、モジュールプレート３に平行に設けられており、モジュールプレート３に強固に連結されている。また、部分１２ｂは部分１２ａの端縁から後方に延び、ＰＤＰ駆動基板７の側方を通過し、ＰＤＰ駆動基板７の後方まで延びている。更に、部分１２ｃは部分１２ｂの後方側の端縁からモジュールプレート３と平行に延び、これによりモジュールプレート３及びＰＤＰ駆動基板７の後方に配置されている。更にまた、部分１２ｄは部分１２ｃの端縁から前方に延び、ＰＤＰ駆動基板７、モジュールプレート３及びＰＤＰ１の側方を通過し、フロントパネル５の背面（内側面）に当接する位置に到達している。そして、部分１２ｅは、部分１２ｄの前方側の端縁からフロントパネル５に接触しながらＰＤＰ１の表面に平行な方向に延びている。
【００４７】
これにより、補強金具１２は、その一端（部分１２ａ）がモジュールプレート３に連結されることによりＰＤＰ１に対して固定され、ＰＤＰ駆動基板７の後方並びにＰＤＰ駆動基板７、モジュールプレート３及びＰＤＰ１の側方を回り込み、他端（部分１２ｅ）がフロントパネル５に当接している。なお、本実施形態においては、放熱板８は設けられていない。これにより、モジュールプレート３及び補強金具１２により、ＰＤＰ１に対して固定されると共にフロントパネル５の背面に当接し、ＰＤＰ１をフロントパネル５から隙間６を介して離隔した位置に保持する保持部品が構成されている。本実施形態における上記以外の構成は、前述の第１の実施形態と同様である。
【００４８】
次に、上述の如く構成された本実施形態の動作について説明する。本実施形態に係るプラズマ表示装置においては、補強金具１２の部分１２ｅがフロントパネル５の内面に当接しているため、フロントパネル５に衝撃等の外力が加わった場合に、補強金具１２がフロントパネル５の支えとなり、フロントパネル５の変形が抑制される。また、万一、強い外力が印加されてフロントパネル５が変形した場合においても、フロントパネル５が変形することにより、補強金具１２、モジュールプレート３及びＰＤＰ１からなる構造体が全体的に後方に撓むため、ＰＤＰ１が後方へ移動し、フロントパネル５と機能フィルム２との間の隙間６は保持される。また、フロントパネル５がＰＤＰ１に接触しても、フロントパネル５がＰＤＰ１を押し込む力が弱まっているため、ＰＤＰ１が破損しにくい。この結果、ＰＤＰ１に直接力が加わることがなく、ＰＤＰ１が破損することがない。本実施形態における効果は、前述の第１の実施形態と同様である。
【００４９】
次に、本発明の第５の実施形態について説明する。図８は本実施形態に係るプラズマ表示装置を示す断面図である。図８に示すように、本実施形態に係るプラズマ表示装置においては、放熱板８は屈曲しておらず、平板状である。また、フロントパネル５に、フロントパネル５の内面から後方に向かって立設したリブ（又はボス）５ａが形成されており、このリブ５ａの後方側の先端が放熱板８に当接している。本実施形態における上記以外の構成は、前述の第１の実施形態と同様である。
【００５０】
本実施形態に係るプラズマ表示装置においては、フロントパネル５に外力が加わった場合に、リブ５ａ及び放熱板８がフロントパネル５の支えとなり、フロントパネル５の変形が抑制される。また、万一、強い外力が印加されてフロントパネル５が変形した場合においても、フロントパネル５が変形することにより、放熱板８におけるリブ５ａに当接している部分が後方に向かって押圧され、これに伴って放熱板８、モジュールプレート３及びＰＤＰ１からなる構造体が全体的に後方に撓むため、ＰＤＰ１が後方に移動し、フロントパネル５と機能フィルム２との間の隙間６は保持される。この結果、ＰＤＰ１に直接力が加わることがなく、ＰＤＰ１が破損することがない。また、フロントパネル５がＰＤＰ１に接触しても、フロントパネル５がＰＤＰ１を押し込む力が弱まっているため、ＰＤＰ１の破損を防止できる。本実施形態における上記以外の効果は、前述の第１の実施形態と同様である。
【００５１】
なお、本実施形態においては、リブ５ａが放熱板８に当接している例を示したが、本発明はこれに限定されず、リブ５ａはモジュールプレート３に当接していてもよく、放熱板８及びモジュールプレート３の双方に当接していてもよい。
【００５２】
また、上述の各実施形態においては、機能フィルム２に不要輻射を遮蔽する機能を持たせる例を示したが、本発明はこれに限定されず、外光の反射を防止する機能又はＰＤＰの前面基板を保護する機能等の他の機能を持たせてもよく、２つ以上の機能を複合的に持たせてもよい。
【００５３】
更に、上述の各実施形態において、フロントパネル５の背面に当接する部材、例えば、放熱板８、モジュールプレート３又は補強金具１２は、フロントパネル５に連結されていてもよい。
【００５４】
更にまた、上述の各実施形態において、機能フィルム２に接続されたガスケット１０を設ける替わりに、フロントパネル５に当接する部材、例えば、放熱板８、モジュールプレート３又は補強金具１２を機能フィルム２の延出部に接する位置まで延出させてもよい。これにより、接続部材を別途設ける必要がなく、プラズマ表示装置のコストをより一層低減できる。
【００５５】
更にまた、上述の各実施形態においては、フロントパネル５の開口部側の端縁とＰＤＰ１の機能フィルム２との間に隙間６が設ける例を示したが、本発明はこれに限定されず、フロントパネル５が機能フィルム２に接していてもよい。この場合においても、フロントパネル５に外力が印加されたときに、ＰＤＰ１が後方に撓むため、フロントパネル５がＰＤＰ１押し込む力を緩和できる。これにより、フロントパネル５がＰＤＰ１を強く押し込むことにより、ＰＤＰ１が破損することを防止できる。
【００５６】
更にまた、上述の各実施形態においては、プラズマ表示装置について説明したが、本発明はこれに限定されず、プラズマ表示装置以外の表示装置に対しても適用可能である。このとき、例えば液晶表示装置のように、表示パネルからの電磁波の不要輻射が少ない表示装置においては、機能フィルムを設けなくてもよい。この場合は、表示パネルの前面基板とフロントパネルとの間に一定の隙間を設けておいてもよく、表示パネルの前面基板がフロントパネルに接していてもよい。
【産業上の利用可能性】
【００５７】
本発明は、表示パネルとこの表示パネルの周辺部分を覆う枠状のフロントパネルが設けられた表示装置に対して利用可能であり、特に、低コスト化及び軽量化を図るために強化ガラス等からなる前面フィルタを設けず、また、フロントパネルを樹脂により形成した表示装置に好適に利用することができる。
【図面の簡単な説明】
【００５８】
【図１】本発明の第１の実施形態に係るプラズマ表示装置を示す断面図である。
【図２】第１の実施形態の変形例に係るプラズマ表示装置を示す断面図である。
【図３】本発明の第２の実施形態に係るプラズマ表示装置を示す断面図である。
【図４】第２の実施形態の変形例に係るプラズマ表示装置を示す断面図である。
【図５】本発明の第３の実施形態に係るプラズマ表示装置を示す断面図である。
【図６】第３の実施形態の変形例に係るプラズマ表示装置を示す断面図である。
【図７】本発明の第４の実施形態に係るプラズマ表示装置を示す断面図である。
【図８】本発明の第５の実施形態に係るプラズマ表示装置を示す断面図である。
【図９】従来のプラズマ表示装置を示す断面図である。
【符号の説明】
【００５９】
１；ＰＤＰ
２；機能フィルム
３；モジュールプレート
３ａ；本体部
３ｂ；延出部
４；フレキシブルケーブル
５；フロントパネル
５ａ；リブ
６；隙間
７；ＰＤＰ駆動基板
８；放熱板
８ａ、８ｂ、８ｃ；部分
９；バックカバー
１０；ガスケット
１１；フィルムアース金具
１２；補強金具
１２ａ、１２ｂ、１２ｃ、１２ｄ、１２ｅ；部分
１３；スペーサ
１４；ボルト
【図１】
2005345855.tif 000003
【図２】
2005345855.tif 000004
【図３】
2005345855.tif 000005
【図４】
2005345855.tif 000006
【図５】
2005345855.tif 000007
【図６】
2005345855.tif 000008
【図７】
2005345855.tif 000009
【図８】
2005345855.tif 000010
【図９】
2005345855.tif 000011